(57)【要約】      （修正有）【課題】枠体への設置作業を円滑に行うことができるマンホール用の蓋及び蓋構造を提供する。【解決手段】環状の環状枠部２０の内周から径内方向に延出し且つボルト孔２１０が形成される固定片部２１とを有する枠体に設置されるマンホール用の蓋であって、環状枠部２０の内側の領域を開閉可能な円盤状の蓋本体部と、該蓋本体部に形成され且つ鉛直方向で固定片部２１に対応する位置に配置される適合部３１と、適合部３１に連続するように蓋本体部に形成される預部３２とを有するとともに、ボルト４を挿通させる挿通孔であって、適合部３１におけるボルト孔に対応する位置から預部３２に亘って連続する挿通孔が形成され、預部３２は、該挿通孔に挿通されたボルト４が配置される持上部３２１を有し、持上部３２１は、配置されたボルト４の先端部を固定片部２１よりも上方に位置させるように構成される。【選択図】図８
2018003395.tif 000002
【特許請求の範囲】
【請求項１】
環状の環状枠部と、該環状枠部の内部に延出し且つ上方に向けて開口するボルト孔が形成される固定片部とを有する枠体に設置されるマンホール用の蓋であって、前記環状枠部の内側の領域を開閉可能な蓋本体部を有し、該蓋本体部は、前記環状枠部の内側の領域を閉じている状態で前記固定片部に対応する位置に配置可能に構成される適合部と、該適合部に連続する預部とを有し、前記適合部には、前記枠体に締結するために前記ボルト孔に螺合させるボルトを挿通させる挿通孔が形成され、前記預部は、該挿通孔に連続するとともに前記ボルトを嵌込可能な預孔が形成され且つ該預孔に嵌め込んだ前記ボルトの先端部が前記環状枠部の内側の領域を閉じている状態で前記固定片部よりも上方に位置するようにボルトを持ち上げる持上部を有するマンホール用の蓋。
【請求項２】
前記持上部は、前記預部の上面側における前記預孔のまわりに形成される嵩上部である請求項１に記載のマンホール用の蓋。
【請求項３】
前記適合部には、該適合部におけるボルトの当接面が前記嵩上部よりも低い場所に位置するように座繰りが形成されている請求項２に記載のマンホール用の蓋。
【請求項４】
前記預孔は、前記挿通孔に対して前記蓋本体部の径方向における内側で連続する請求項１乃至請求項３の何れか１項に記載のマンホール用の蓋。
【請求項５】
マンホールに設置される枠体と、前記請求項１乃至請求項４の何れか一項に記載の蓋と、該蓋と前記枠体とを締結するボルトとを有するマンホール用の蓋構造。
【請求項６】
前記ボルトは、前記挿通孔に挿通されて前記ボルト孔に螺合される雄ねじ部と、該雄ねじ部の軸線方向における一端に設けられ且つ前記挿通孔の孔径よりも外径が大きい頭部と、前記軸線方向で該頭部との間に間隔をあけて前記雄ねじ部に固定され且つ前記挿通孔の孔径よりも外径が大きい押上部とを有し、前記頭部は、前記蓋本体部の上方側に配置され、前記押上部は、前記蓋本体部の下方側に配置される請求項５に記載のマンホール用の蓋構造。
【発明の詳細な説明】
【技術分野】
【０００１】
本発明は、地面等に形成されたマンホールを塞ぐマンホール用の蓋及び蓋構造に関する。
【背景技術】
【０００２】
従来から、地下設備（例えば、電線や、ガス管、水道管、通信ケーブル等が地下に埋設された設備）の点検や保守を行うために地上から地下へ出入りするためのマンホールが形成されている。かかるマンホールには、いたずらや、転落を防止するために地上側の開口部（以下、地上側開口部という）を開閉するための蓋構造が設置されている。
【０００３】
かかる蓋構造は、マンホールの地上側開口部の縁部に設けられる枠体と、該枠体に載置されて地上側開口部を開閉可能な蓋部とを備えている。枠体は、縁部に沿った形状の枠であり、載置した蓋部をボルトで締結するためのネジ孔が形成された固定部を有する。蓋部は、枠体に締結するためのボルトを挿通するための貫通孔が形成されている。
【０００４】
このような蓋構造では、蓋部が枠体上に配置され、貫通孔に挿通させたボルトが固定部のネジ孔に締め込まれることによって、該蓋部が枠体に固定される（例えば、特許文献１参照）。
【先行技術文献】
【特許文献】
【０００５】
【特許文献１】特開２００７−２５２７号公報
【発明の概要】
【発明が解決しようとする課題】
【０００６】
ところで、前記蓋構造では、蓋部を枠体に設置する場合において、作業者が開口部を閉塞するようにして蓋部を枠体上に配置した後に、蓋部の貫通孔を覗き込んで貫通孔と固定孔との位置関係を確認しながら蓋部を動かすことで貫通孔の位置と固定孔の位置とを対応させている。
【０００７】
そして、作業者は、蓋部の向きを調整した後に蓋部の貫通孔の数に応じた固定ねじを用意し、貫通孔が複数形成されている場合には、該固定ねじを各貫通孔に一つずつ挿通し、さらに、各固定ねじを固定孔に締め込むことによって蓋部を枠体に固定している。
【０００８】
このように、従来の蓋構造では、作業者が蓋部の位置や向きを調整した後に、貫通孔の数に応じた固定ねじを用意する必要があるため、蓋部を枠体に設置する作業が煩雑であり、改善の余地がある。
【０００９】
そこで、本発明は、斯かる実情に鑑み、枠体への設置作業を円滑に行うことができるマンホール用の蓋及び蓋構造を提供することを課題とする。
【課題を解決するための手段】
【００１０】
本発明のマンホール用の蓋は、環状の環状枠部と、該環状枠部の内部に延出し且つ上方に向けて開口するボルト孔が形成される固定片部とを有する枠体に設置されるマンホール用の蓋であって、前記環状枠部の内側の領域を開閉可能な蓋本体部を有し、該蓋本体部は、前記環状枠部の内側の領域を閉じている状態で前記固定片部に対応する位置に配置可能に構成される適合部と、該適合部に連続する預部とを有し、適合部には、枠体に締結するために前記ボルト孔に螺合させるボルトを挿通させる挿通孔が形成され、前記預部は、該挿通孔に連続するとともに前記ボルトを嵌込可能な預孔が形成され且つ預孔に嵌め込んだボルトの先端部が前記環状枠部の内側の領域を閉じている状態で前記固定片部よりも上方に位置するようにボルトを持ち上げる持上部を有する。
【００１１】
上記構成のマンホール用の蓋によれば、枠体の固定片部に対応する位置に配置可能である適合部には、枠体のボルト孔に螺合させるボルトを挿通させる挿通孔が形成され、預部には、ボルトを嵌込可能であり且つ適合部の挿通孔に連続する預孔が形成されている。そのため、前記マンホール用の蓋では、適合部に対応する位置と預部に対応する位置との間でのボルトの配置変更が可能となる。
【００１２】
従って、前記マンホール用の蓋は、ボルトを預孔に嵌め込んで預部に対応する位置に配置しておけば、適合部の挿通孔から枠体内を確認できる状態になり、ボルトを適合部に対応する位置に配置すれば、該ボルトをボルト孔に螺合させることができる状態になる。
【００１３】
また、預部が、環状枠部の内側の領域を閉じている状態において、預孔に嵌め込まれているボルトを持ち上げて該ボルトの先端部を固定片部よりも上方に位置させる持上部を有するため、ボルトを預孔に嵌め込んで預部に対応する位置に配置している状態においては、枠体上に配置した蓋本体部を動かせて適合部の挿通孔と固定片部のボルト孔とを対応させる際に、ボルトの先端部と固定片部との干渉が防止される。
【００１４】
従って、前記マンホール用の蓋は、予めボルトをセットした状態で枠体への設置作業を行うことができる。
【００１５】
また、本発明のマンホール用の蓋において、前記持上部は、預部の上面側における預孔のまわりに形成される嵩上部であってもよい。
【００１６】
かかる構成によれば、ボルトが預孔に挿通されると、持上部を構成する嵩上部によってボルトの頭部が支持されるため、持上部で持ち上げられているボルトの姿勢を安定させることができる。
【００１７】
この場合、前記適合部には、該適合部におけるボルトの当接面が前記嵩上部よりも低い場所に位置するように座繰りが形成されていてもよい。
【００１８】
前記マンホール用の蓋では、適合部に形成された座繰りによって当接面と嵩上部との間に高低差が生じるように構成されているため、蓋本体部の厚みを増加させずに嵩上部で持ち上げたボルトの先端部を固定片部よりも上方に配置することができる。
【００１９】
さらに、本発明のマンホール用の蓋において、前記預孔は、前記挿通孔に対して前記蓋本体部の径方向における内側で連続していてもよい。
【００２０】
前記マンホール用の蓋では、預孔が挿通孔に対して蓋本体部の径方向における内側で連続するため、預孔に嵌め込まれたボルトが固定片部よりも前記径方向における内側に配置される。従って、枠体上に配置した蓋本体部を動かしたときのボルトの先端部と固定片部との干渉が確実に防止される。
【００２１】
本発明のマンホール用の蓋構造は、マンホールに設置される枠体と、上記何れかの蓋と、該蓋と前記枠体とを締結するボルトとを有する。
【００２２】
かかる構成によれば、予めボルトを蓋の頂部にセットしておけば、枠体に蓋を設置する際に適合部の挿通孔から枠体内を確認することができ、また、枠体上に配置した蓋本体部を回転させて適合部の挿通孔と固定片部のボルト孔とを対応させる際に、ボルトの先端部と固定片部との干渉を防止することができる。従って、前記マンホール用の蓋構造は、予めボルトをセットした状態で枠体への設置作業を行うことができる。
【００２３】
前記マンホール用の蓋構造において、前記ボルトは、前記挿通孔に挿通されて前記ボルト孔に螺合される雄ねじ部と、該雄ねじ部の軸線方向における一端に設けられ且つ前記挿通孔の孔径よりも外径が大きい頭部と、前記軸線方向で該頭部との間に間隔をあけて前記雄ねじ部に固定され且つ前記挿通孔の孔径よりも外径が大きい押上部とを有し、前記頭部は、前記蓋本体部の上方側に配置され、前記押上部は、前記蓋本体部の下方側に配置されていてもよい。
【００２４】
前記マンホール用の蓋構造では、前記軸線方向における雄ねじ部の一端に設けられ且つ挿通孔の孔径よりも外径が大きい頭部が蓋本体部上に配置されるため、挿通孔に挿通された雄ねじ部を固定片部のボルト孔に締め込むと頭部が下方側に移動する。これにより、適合部が頭部によって下方に押さえつけられることで、蓋が枠体に固定される。
【００２５】
また、ボルトの押上部は、前記軸線方向で頭部との間に間隔をあけた位置で雄ねじ部に固定されているため、蓋本体部と固定片部との間に配置される。さらに、ボルトの押上部は、挿通孔の孔径よりも外径が大きくなっているため、固定片部のボルト孔に締め込んだ雄ねじ部を弛めると押上部が上方側に移動する。これにより、適合部が押上部によって下方側から押し上げられるため、蓋が枠体に対して持ち上げられた状態になる。
【００２６】
このように、単一種のボルトに対する操作によって枠体への蓋の固定と、枠体に対する蓋の持ち上げとを行うことができるようになる。
【発明の効果】
【００２７】
以上のように、本発明のマンホール用の蓋及び蓋構造によれば、枠体への設置作業を円滑に行うことができるという優れた効果を奏し得る。
【図面の簡単な説明】
【００２８】
【図１】図１は、本発明の一実施形態に係るマンホール用の蓋構造の縦断面概略図である。
【図２】図２は、本発明の一実施形態に係るマンホール用の蓋構造の平面図である。
【図３】図３は、同実施形態に係るマンホール用の蓋構造の枠体の平面図である。
【図４】図４は、同実施形態に係るマンホール用の蓋構造の蓋の平面図である。
【図５】図５は、同実施形態に係るマンホール用の蓋構造の拡大図であって、図４の領域Ｂの拡大図である。
【図６】図６は、同実施形態に係るマンホール用の蓋構造の拡大図であって、図１の領域Ａの拡大図である。
【図７】図７は、同実施形態に係るマンホール用の蓋構造の平面図であって、ボルトを預部に対応する位置に配置している状態のマンホール用の蓋構造の平面図である。
【図８】図８は、同実施形態に係るマンホール用の蓋構造の断面拡大図であって、ボルトを預部に対応する位置に配置している状態のマンホール用の蓋構造の断面拡大図である。
【図９】図９は、同実施形態に係るマンホール用の蓋構造の断面拡大図であって、ボルトによって蓋を枠体に対して持ち上げている状態のマンホール用の蓋構造の断面拡大図である。
【図１０】図１０は、本発明の他の実施形態に係るマンホール用の蓋構造の平面図である。
【図１１】図１１は、本発明の別の実施形態に係るマンホール用の蓋構造の平面図である。
【図１２】図１２は、本発明のさらに別の実施形態に係るマンホール用の蓋構造の平面図である。
【図１３】図１３は、本発明のさらに別の実施形態に係るマンホール用の蓋構造の断面拡大図である。
【発明を実施するための形態】
【００２９】
以下、本発明の一実施形態にかかるマンホール用の蓋及び該蓋を備える蓋構造について、添付図面を参照しつつ説明する。
【００３０】
本実施形態に係る蓋構造は、図１及び図２に示すように、地下設備（例えば、電線や、ガス管、水道管、通信ケーブル等が地下に埋設された設備）の点検や保守を行うために地上から地下へ出入りするために形成されたマンホールＨに設置されるように構成されており、マンホールＨの地上側開口部を開閉可能となっている。
【００３１】
本実施形態に係る蓋構造１は、マンホールＨの地上側開口部の縁部に設けられる枠体２と、該枠体２に載置されて地上側開口部を開閉可能な蓋３と、該蓋３と枠体２とを締結するためのボルト４とを備えている。
【００３２】
枠体２は、図３に示すように、環状（本実施形態では、無端環状）の環状枠部２０と、該環状枠部２０の内周から径方向における内方向側に向けて延出し且つ上方に向けて開口するボルト孔２１０が形成される固定片部２１と、環状枠部２０から外方（環状枠部２０の径外方向）に向けて延出するアンカー部２２とを有する。
【００３３】
環状枠部２０には、マンホールＨに連通する開口（以下、連通開口とする）が形成されている。また、環状枠部２０の内周面には、上方側から下方側になるにつれて内径が徐々に小さくなるように形成された枠側テーパー面２００が含まれている（図６参照）。
【００３４】
固定片部２１は、環状枠部２０の内周面から該環状枠部２０の径内方向に向けて延出している。また、固定片部２１は、鉛直方向（環状枠部２０の中心線に対応する方向）で蓋３に対向する上面と、該上面とは反対側の下面とを有する。
【００３５】
本実施形態に係る固定片部２１は、枠側テーパー面２００の下端に連設されており、該固定片部２１の上面と枠側テーパー面２００の下端とが連続している。
【００３６】
ボルト孔２１０は、固定片部２１に形成されたねじ孔で構成されている。また、ボルト孔２１０は、前記鉛直方向で固定片部２１を貫通するように形成されている。そのため、ボルト孔２１０は、固定片部２１の上面と下面とで開口している。
【００３７】
本実施形態に係る枠体２では、環状枠部２０の内周面に対して三つの固定片部２１が形成されている。各固定片部２１は、環状枠部２０の周方向において互いに間隔をあけた位置に形成されている。なお、本実施形態では、環状枠部２０の周方向で等間隔又は略等間隔となるようにして三つの固定片部２１が形成されている。
【００３８】
また、各固定片部２１のボルト孔２１０は、環状枠部２０の周方向で並ぶ位置に形成されている。すなわち、環状枠部２０の中心から各固定片部２１のボルト孔２１０までの距離は、それぞれ同一又は略同一となっている。
【００３９】
アンカー部２２は、環状枠部２０の外周全周に亘って連続するように形成されている。アンカー部２２は、地中に埋設される部分のことである。
【００４０】
蓋３は、環状枠部２０の内側を開閉可能な蓋本体部３０を有する。蓋本体部３０は、環状枠部２０の形状に対応して円盤状に形成されており、環状枠部２０上に載置された状態で、外部に露出する外面と、マンホールＨ内に向けて配置される内面とを有する。
【００４１】
本実施形態に係る蓋本体部３０は、環状枠部２０の内側の領域を閉じている状態で固定片部２１に対応する位置に配置可能に構成される適合部３１であって、枠体２に締結するためにボルト孔２１０に螺合させるボルト４を挿通させる挿通孔３１０が形成される適合部３１と、該適合部３１に連続する預部３２と、適合部３１の挿通孔３１０へのボルト４の出し入れを行うための出入部３３とを有する。
【００４２】
また、蓋本体部３０は、外径が外面側から内面側になるにつれて小さくなるように構成されている。すなわち、蓋本体部３０は、外面側から内面側になるにつれて中央部側（蓋３の中央部側）に傾斜する蓋側テーパー面３４を有する。
【００４３】
本実施形態に係る適合部３１は、図５、及び図６に示すように、蓋本体部３０の外周に沿う方向（以下、周方向という）で間隔をあけて並ぶ一対の対向面３１１を有しており、該対向面３１１の間の領域によって挿通孔３１０が構成されている。
【００４４】
また、適合部３１は、挿通孔３１０に挿通されたボルト４を受けるための当接面３１２を有する。当接面３１２は、挿通孔３１０の外面側の開口周りに形成されている。また、本実施形態に係る適合部３１では、前記周方向で間隔をあけて一対の当接面３１２が形成されている。
【００４５】
なお、当接面３１２は、蓋本体部３０の外面に座繰りを形成することで構成されている。これに伴い、適合部３１には、当接面３１２から起立する一対の周壁面３１３が形成されている。また、一対の周壁面３１３の間隔は、一対の当接面３１２の間隔よりも広くなっている。
【００４６】
各周壁面３１３は、前記周方向において互いに離間する方向に向けて凸となるように湾曲している。また、各周壁面３１３の上端は、蓋本体部３０の外面につながっている。
【００４７】
なお、本実施形態に係る蓋３では、蓋本体部３０の外周縁部に三つの適合部３１が形成されており、該適合部３１は、それぞれ蓋本体部３０の周方向において等間隔又は略等間隔で配置されるように形成されている。
【００４８】
預部３２には、蓋本体部３０の外面側と内面側とで開放し且つボルト４を嵌込可能な預孔３２０が形成されている。預孔３２０は、挿通孔３１０に連続している。本実施形態に係る預孔３２０は、挿通孔３１０に対して蓋本体部３０の径方向（以下、径方向という）における内側で連続している。
【００４９】
また、預部３２は、蓋本体部３０が連続開口を閉じた状態において、預孔３２０に嵌め込まれているボルト４の先端部が固定片部２１よりも上方に位置するように該ボルト４を持ち上げる持上部３２１を有する。
【００５０】
なお、本実施形態では、蓋本体部３０の外面の一部が預部３２の上面によって構成されている。そのため、預部３２は、預孔３２０に嵌め込まれたボルト４（ボルト４の後述する頭部４１）を上面で受けるように構成されている。すなわち、持上部３２１は、預部３２の上面によって構成されている。
【００５１】
また、本実施形態に係る蓋本体部３０では、上述のように、蓋本体部３０の外面に座繰りを形成することによって適合部３１の当接面３１２が構成されているため、預部３２の上面は、適合部３１の当接面３１２よりも高い位置に形成されている。すなわち、持上部３２１としての預部３２の上面は、当接面３１２よりも嵩上げされるように構成された嵩上部３２２でもある。
【００５２】
なお、本実施形態に係る預部３２は、前記径内方向で適合部３１の対向面３１１に連続する一対の連設面３２３と、該一対の連設面のそれぞれに連続する終端面３２４とを有する。一対の連設面３２３は、前記周方向で互いに対向しており、互いの間隔が一対の対向面３１１の間隔と対応するように構成されている。そのため、預部３２において、預孔３２０は、一対の連設面３２３の間の領域によって構成されている。
【００５３】
また、本実施形態では、適合部３１に対応して三つの預部３２が蓋本体部３０の外周縁部に形成されている。
【００５４】
出入部３３には、蓋本体部３０の外面側と内面側とで開放し且つボルト４を挿込可能な挿込口３３０が形成されている。挿込口３３０は、挿通孔３１０に連続している。本実施形態に係る挿込口３３０は、挿通孔３１０に対して蓋本体部３０の前記径方向における外側で連続するように形成されている。
【００５５】
また、挿込口３３０は、蓋本体部３０の外側端に対応する位置で前記径方向における外側に向けて開放するように構成されている。そのため、出入部３３では、前記径方向において、該蓋本体部３０の外側端に対応する位置から挿込口３３０にボルト４を該ボルト４の径方向で抜挿可能に構成されている。
【００５６】
なお、本実施形態に係る出入部３３は、前記径方向における外側で適合部３１の対向面３１１に連続する一対のガイド面３３１を有する。一対のガイド面３３１は、前記周方向で互いに対向しており、互いの間隔が一対の対向面３１１の間隔と対応するように構成されている。そのため、出入部３３において、挿込口３３０は、一対のガイド面３３１の間の領域によって構成されている。
【００５７】
また、本実施形態では、適合部３１に対応して三つの出入部３３が蓋本体部３０の外周縁部に形成されている。
【００５８】
蓋側テーパー面３４は、蓋３が枠体２上に配置された状態において、枠側テーパー面２００に係合するように構成されている。
【００５９】
本実施形態では、蓋本体部３０の最大外径が環状枠部２０の最大内径と略同一となるように設定され、さらに、蓋本体部３０の厚みが環状枠部２０の枠側テーパー面２００の深さ（高さ）よりも小さくなるように設定されている。そのため、蓋３が枠体２上に載置されると、蓋側テーパー面３４が枠側テーパー面２００の上方に係止し、蓋３の内面と固定片部２１との間には隙間が形成された状態となる。
【００６０】
なお、本実施形態に係る蓋本体部３０は、枠体２への取り付けや、枠体２からの取り外しを行う際にバール等の工具を掛止するための掛止部Ｆを有する。掛止部Ｆは、蓋本体部３０の外面で開放する凹部を形成することで構成されている。
【００６１】
ボルト４は、軸状であり且つ挿通孔３１０に挿通されてボルト孔２１０に螺合される雄ねじ部４０と、該雄ねじ部４０の軸線方向における一端に設けられ且つ前記径方向で雄ねじ部４０から延出する頭部４１と、前記軸線方向で該頭部４１との間に間隔をあけて雄ねじ部４０に固定され且つ前記径方向で雄ねじ部４０から延出する押上部４２と、雄ねじ部４０に挿通され且つ頭部４１と押上部４２との間に配置される一対の圧接部材４３とを有する。
【００６２】
雄ねじ部４０は、挿通孔３１０に挿通された状態においては蓋本体部３０の内面から下方側に突出した状態となり、預孔３２０に挿通された状態においては固定片部２１よりも上方に配置された状態となる長さとなっている。
【００６３】
また、雄ねじ部４０の外径は、挿通孔３１０、預部３２、挿込口３３０のそれぞれの前記周方向における幅よりも小さくなっている。
【００６４】
頭部４１と押上部４２とは、雄ねじ部４０の軸線方向における互いの間隔が、蓋本体部３０の厚みよりも大きくなるようにして配置されている。また、頭部４１及び押上部４２の外径は、挿通孔３１０、預部３２、挿込口３３０のそれぞれの前記周方向における幅よりも大きくなっている。
【００６５】
圧接部材４３は、ワッシャーである。一対の圧接部材４３のうちの一方の圧接部材４３は、蓋本体部３０の外面側に配置され、他方の圧接部材４３は、蓋本体部３０の内面側に配置される。
【００６６】
そして、一方の圧接部材４３の外形は、挿通孔３１０、預部３２、挿込口３３０のそれぞれの前記周方向における幅よりも大きく且つ周壁面３１３の記周方向における幅よりも小さくなっている。他方の圧接部材４３の外形は、挿通孔３１０、預部３２、挿込口３３０のそれぞれの前記周方向における幅よりも大きくなっている。
【００６７】
雄ねじ部４０の軸線方向での長さは、適合部３１の上面から固定片部２１の下面までの距離よりも長くなるように設定されている。また、雄ねじ部４０の軸線方向での長さは、預部３２の上面から固定片部２１の上面までの距離よりも短くなるように設定されている。
【００６８】
本実施形態に係る蓋構造１の構成は、以上の通りの構成である。続いて、本実施形態に係る蓋構造１における枠体２への蓋３の設置作業について添付図面を参照しつつ説明する。
【００６９】
枠体２に蓋３を設置するにあたり、各挿通孔３１０にボルト４を挿通する。本実施形態では、頭部４１が蓋本体部３０の外面側、押上部４２が蓋本体部３０の内面側に配置されるようにして雄ねじ部４０を蓋本体部３０の外縁端から挿込口３３０内に挿入し、預孔３２０まで移動させる。そして、図７及び図８に示すように、嵩上部３２２（持上部３２１）上に頭部４１を載置する。
【００７０】
蓋本体部３０を環状枠部２０上に配置すると、各ボルト４は、固定片部２１よりも環状枠部２０の径方向において内側に位置し且つ雄ねじ部４０の先端が固定片部２１よりも上方に位置した状態になる。
【００７１】
そして、蓋本体部３０を回転させて適合部３１の位置を前記鉛直方向で固定片部２１に対応する位置に配置する。すなわち、挿通孔３１０とボルト孔２１０とを対応させた状態にする。
【００７２】
続いて、ボルト４を嵩上部３２２に対応する位置から適合部３１に対応する位置に移動させると、該ボルト４は、ボルト孔２１０に対応する位置に配置されるとともに、下方側（固定片部２１に接近する方向）に移動するため、ボルト孔２１０に締め込むことができる状態になる。そして、図６に示すように、各ボルト４をボルト孔２１０に締め込むと蓋３が枠体２に固定される。
【００７３】
より具体的には、挿通孔３１０に挿通した状態の雄ねじ部４０を固定片部２１のボルト孔２１０に締め込むと頭部４１が下方側に移動するため、適合部３１が頭部４１によって下方に押さえつけられることで、蓋３が枠体２に固定される。これにより、枠体２への蓋３の設置作業が完了する。
【００７４】
このとき、テーパー同士が嵌合し、蓋と固定片部との間には隙間が生じている。
【００７５】
なお、蓋３を枠体２から取り外す場合や、枠体２に対する蓋３の傾きを正す場合においては、固定片部２１のボルト孔２１０に締め込んだ雄ねじ部４０を弛めると押上部４２が上方側に移動するため、適合部３１が押上部４２によって下方側から押し上げられることで、図９に示すように、蓋３が枠体２に対して持ち上げられた状態になる。
【００７６】
以上のように、本実施形態に係る蓋３及び蓋構造１では、枠体２の固定片部２１に対応する位置に配置可能である適合部３１には、枠体２のボルト孔２１０に螺合させるボルト４を挿通させる挿通孔３１０が形成され、預部３２には、ボルト４を嵌込可能であり且つ適合部３１の挿通孔３１０に連続する預孔３２０が形成されているため、適合部３１に対応する位置と預部３２に対応する位置との間でのボルト４の配置変更が可能となる。
【００７７】
そのため、ボルト４を預孔３２０に嵌め込んで預部３２に対応する位置に配置しておけば、適合部３１に形成される挿通孔３１０から枠体２内を確認できる状態になり、ボルト４を適合部３１に対応する位置に配置すれば、該ボルト４をボルト孔２１０に螺合させることができる状態になる。
【００７８】
また、預部３２が、環状枠部２０の内側の領域を閉じている状態において、預孔３２０に嵌め込まれているボルト４を持ち上げて該ボルト４の先端部を固定片部２１よりも上方に位置させる持上部３２１を有するため、ボルト４を預孔３２０に嵌め込んで預部３２に対応する位置に配置している状態においては、枠体２上に配置した蓋本体部３０を回転させて適合部３１の挿通孔３１０と固定片部２１のボルト孔２１０とを対応させる際に、ボルト４の先端部と固定片部２１との干渉が防止される。
【００７９】
さらに、本実施形態では、預孔３２０が挿通孔３１０に対して前記径方向における内側で連続しているため、預孔３２０に嵌め込まれたボルト４が固定片部２１よりも前記径方向において内側に配置される。従って、枠体２上に配置した蓋本体部３０を動かしたときのボルト４の先端部と固定片部２１との干渉を防止し易くなる。
【００８０】
このように、蓋３及び蓋構造１は、予めボルト４をセットした状態で枠体２への設置作業を行うことができるため、枠体２への設置作業を円滑に行うことができるという優れた効果を奏し得る。
【００８１】
また、前記持上部３２１が預部３２の上面側における預孔３２０のまわりに形成される嵩上部３２２で構成されているため、ボルト４が預孔３２０に挿通されると、持上部３２１を構成する嵩上部３２２によってボルト４の頭部４１が支持されるため、持上部３２１で持ち上げられているボルト４の姿勢を安定させることができる。
【００８２】
さらに、蓋３及び蓋構造１では、前記適合部３１に座繰りを形成することで当接面３１２が嵩上部３２２よりも低い位置に形成されている。そのため、蓋３及び蓋構造１は、適合部３１に形成された座繰りによって当接面３１２と嵩上部３２２との間に高低差が生じるように構成されているため、蓋本体部３０が厚みを増加させずに嵩上部３２２で持ち上げたボルト４の先端部を固定片部２１よりも上方に配置できるようにすることができる。なお、本実施形態では、蓋本体部３０の外面に対して座繰りを形成することで、当接面３１２と嵩上部３２２との間に高低差を生じさせている。
【００８３】
さらに、前記マンホール用の蓋構造１において、ボルト４は、雄ねじ部４０に対して蓋本体部３０の適合部３１を下方に押さえつけるための頭部４１と、枠体２に対して蓋３を持ち上げるための押上部４２とが設けられている。そのため、本実施形態に係る蓋構造１は、単一種のボルト４に対する操作によって枠体２への蓋３の固定と、枠体２に対する蓋３の持ち上げとを行うことができる。
【００８４】
なお、本発明の蓋構造１は、上記一実施形態に限定されるものではなく、本発明の要旨を逸脱しない範囲において種々変更を行うことは勿論である。
【００８５】
上記実施形態において、ボルト孔２１０は、前記鉛直方向で固定片部２１を貫通するように形成されていたが、この構成に限定されない。例えば、ボルト孔２１０は、前記鉛直方向で蓋３側に向けて開口していれば、固定片部２１に対して非貫通であってもよい。すなわち、ボルト孔２１０は、少なくとも固定片部２１の上端で開口していればよい。
【００８６】
上記実施形態において、環状枠部２０の内周面には、三つの固定片部２１が形成されていたが、この構成に限定されない。例えば、環状枠部２０の内周面には、一つ、又は二つの固定片部２１が形成されていたり、四つ以上の固定片部２１が形成されていてもよい。
【００８７】
なお、ボルト４による枠体２への蓋３の固定によって枠体２に対する蓋３のがたつきを防止するには、三つ以上であり且つ奇数個の固定片部２１を環状枠部２０の内周面に形成し、環状枠部２０の周方向において各固定片部２１が等間隔又は略等間隔で配置されるように構成されることが好ましい。
【００８８】
上記実施形態では、枠体２が円環状であり、蓋本体部３０が円盤状（平面視において円形状）であったが、平面視において枠体２が多角環状であり、蓋本体部３０が多角形盤状であってもよい。
【００８９】
また、上記実施形態において、環状枠部２０は、無端環状となっていたが、この構成に限定されず、例えば、周方向における一部が途切れた形状であってもよい。
【００９０】
上記実施形態において、挿込口３３０は、蓋本体部３０の外側端に対応する位置で前記径方向における外側に向けて開放していたが、この構成に限定されない。例えば、挿込口３３０は、図１０に示すように、蓋本体部３０の外縁端で開放していなくてもよい。この場合、ボルト４は、雄ねじ部４０を挿込口３３０に挿通した後に、該雄ねじ部４０に対して圧接部材４３を挿通し、さらに、押上部４２材を固定すればよい。
【００９１】
上記実施形態において、挿通孔３１０には、前記径方向における内側に預孔３２０が連続し、前記径方向における外側に挿込口３３０が連続していたが、この構成に限定されない。例えば、挿通孔３１０には、図１１に示すように、前記周方向における両側に預孔３２０が連続していてもよいし、図１２に示すように、前記周方向における一方側又は他方側のみに預孔３２０が連続していてもよい。
【００９２】
上記実施形態において、預孔３２０は、図１３に示すように、蓋本体部３０の外面と内面とで開放していたが、この構成に限定されず、蓋本体部３０の外面のみで開放する凹部によって構成されていてもよい。すなわち、預部３２では、持上部３２１が預孔３２０内でボルト４の雄ねじ部４０の先端を受け止めるように構成されていてもよい。この場合、預孔３２０内にボルト４が嵌め込まれると、該持上部３２１が預孔３２０内でボルト４の先端部を支持して蓋本体部３０の外面側に持ち上げた状態となる。
【００９３】
なお、図１３では、蓋３を枠体２に固定する機能のみを有するボルト４を図示しているが、蓋３を枠体２に固定する機能と、蓋３を枠体２に対して持ち上げる機能とを兼ねたボルト４を備える構成とする場合は、例えば、挿込口３３０が押上部４２や、圧接部材４３を挿通できるようになっていればよい。
【００９４】
上記実施形態において、各挿通孔３１０には、蓋３を枠体２に固定する機能と、蓋３を枠体２に対して持ち上げる機能とを兼ねたボルト４が挿通されていたが、例えば、蓋３を枠体２に固定する機能のみを有するボルト４や、蓋３を枠体２に対して持ち上げる機能のみを有するボルト４が挿通されてもよい。
【００９５】
上記実施形態では、蓋３を枠体２に設置する際に、挿通孔３１０にボルト４を挿通させていたが、例えば、予め挿通孔３１０にボルト４が挿通された状態の蓋３を用いてもよい。
【符号の説明】
【００９６】
１…蓋構造、２…枠体、３…蓋、４…ボルト、２０…環状枠部、２１…固定片部、２２…アンカー部、３０…蓋本体部、３１…適合部、３２…預部、３３…出入部、３４…蓋側テーパー面、４０…部、４１…頭部、４２…押上部、４３…圧接部材、２００…枠側テーパー面、２１０…ボルト孔、３１０…挿通孔、３１１…対向面、３１２…当接面、３１３…周壁面、３２０…預孔、３２１…持上部、３２２…嵩上部、３２３…連設面、３２４…終端面、３３０…挿込口、３３１…ガイド面、Ｆ…掛止部、Ｈ…マンホール
【図１】
2018003395.tif 000003
【図２】
2018003395.tif 000004
【図３】
2018003395.tif 000005
【図４】
2018003395.tif 000006
【図５】
2018003395.tif 000007
【図６】
2018003395.tif 000008
【図７】
2018003395.tif 000009
【図８】
2018003395.tif 000010
【図９】
2018003395.tif 000011
【図１０】
2018003395.tif 000012
【図１１】
2018003395.tif 000013
【図１２】
2018003395.tif 000014
【図１３】
2018003395.tif 000015